(57)【特許請求の範囲】
【請求項１】
表示部を有する端末装置と、
書籍の内容について閲覧のための閲覧用データと印刷製本のための印刷製本用データからなる書籍内容データを保存するディスク装置を有するデータサーバと、
閲覧用データのダウンロードに係わるコンテンツ課金処理および印刷製本に係わるコンテナ課金処理を実行する課金管理手段、前記コンテンツ課金処理および前記コンテナ課金処理の履歴を記憶する課金履歴記憶手段および制御手段を有するＷｅｂサーバと、
画像形成部を有する印刷製本装置と、
を有するブックオンデマンドシステムにおいて、
前記端末装置の前記表示部には、前記閲覧用データのダウンロードによる閲覧か、前記印刷製本用データの送付による印刷製本かを受け付ける入力ボタンを備えた表示画面が表示され、
前記制御手段は、
前記閲覧用データのダウンロードによる閲覧が選択された場合には、閲覧課金処理を実行するように前記課金管理手段を制御し、
前記印刷製本が選択された場合には、前記ダウンロードによる閲覧の履歴の有無を判定し、
前記ダウンロードによる閲覧の履歴が無い場合は、初回コンテンツ課金処理を行うと共に該履歴を課金履歴記憶手段に記憶させるように前記課金管理手段を制御し、
前記ダウンロードによる閲覧の履歴が有り、且つ、再課金モードが選択されない場合は、再コンテンツ課金処理を行わないように前記課金管理手段を制御すると共に該履歴を前記課金履歴記憶手段に記憶させ、
その後に印刷製本に係わるコンテナ課金処理を行うと共に該履歴を課金履歴記憶手段に記憶させるように前記課金管理手段を制御する、
ことを特徴とするブックオンデマンドシステム。
【請求項２】
前記ダウンロードによる閲覧の履歴が有り、且つ、再課金モードが選択された場合は、再コンテンツ課金処理を行うと共に該履歴を前記課金履歴記憶手段に記憶させるように前記課金管理手段を制御する、
ことを特徴とする請求項１に記載のブックオンデマンドシステム。
【請求項３】
前記閲覧課金処理は、前記制御手段が、前記印刷製本の履歴の有無を判定し、
印刷製本の履歴が有る場合は、再コンテンツ課金処理を行うと共に該履歴を課金履歴記憶手段に記憶させるように前記課金管理手段を制御し、
印刷製本の履歴が無い場合は、前記ダウンロードによる閲覧の履歴の有無を判定し、
前記ダウンロードによる閲覧の履歴が無い場合は、初回コンテンツ課金処理を行うと共に該履歴を課金履歴記憶手段に記憶させるように前記課金管理手段を制御し、
前記ダウンロードによる閲覧の履歴が有り、且つ、再課金モードが選択されない場合は、再コンテンツ課金処理を行わないように前記課金管理手段を制御すると共に該履歴を前記課金履歴記憶手段に記憶させ、
ことを特徴とする請求項１又は２に記載のブックオンデマンドシステム。
【請求項４】
前記ダウンロードによる閲覧の履歴が有り、且つ、再課金モードが選択された場合は、再コンテンツ課金処理を行うと共に該履歴を課金履歴記憶手段に記憶させるように前記課金管理手段を制御する、
ことを特徴とする請求項３に記載のブックオンデマンドシステム。
【発明の詳細な説明】
【０００１】
【発明の属する技術分野】
本発明は、端末からネットワークを介してサーバより閲覧用データまたは印刷製本用データを取り出し、ユーザ端末側で閲覧し、印刷製本端末側で印刷製本出力するように構成されたブックオンデマンドシステムの技術に関する。
【０００２】
【従来の技術】
電子出版の一形態として、インターネットに接続されたサーバから書籍などに係るディジタルデータをダウンロード、しかる後印刷せしめてユーザに出版物を提供したいとの要望がある。
【０００３】
ところが書籍などに係るディジタルデータの提供者は、無制限に複製が可能であることを懸念し、著作権使用料の収入が期待できる書籍などに係るディジタルデータの提供を控える傾向にある。なお、書籍などに係るディジタルデータとは、文学作品、学術論文、辞書辞典、雑誌その他の著述物であり、写真や絵が含まれる場合がある。また、写真集、画集、地図帳のごとく著述が主体でない場合も書籍などに係るディジタルデータに含まれる。
【０００４】
特開平７−２３９８２８号公報には、著作権サーバで認証したユーザのみに復号可能な暗号化を文書サーバで施して文書をユーザに対応する印刷エージェントへ転送し、各エージェントが復号化して印刷する技術が記載されている。同公報には、この技術によれば、電子出版において不正コピーが防止できると記載されている。
【０００５】
特開平６−１０３２８６号公報には、ユーザがモデムを介してブックの複製物を伝送するコマンドを入力すると著作権使用料支払いプログラムが複製コマンドをインターセプトして複製動作を中断させ、著作権使用料支払いプログラムはブックテキスト又はブックに付随するファイルに格納された著作権使用料支払い情報をユーザに提示する技術が記載されている。同公報には、この技術によれば、読者がソフトコピーブックの一部又は全てを複製するときに、著作権使用料の支払いを読者に強要する手段を設けることにより、著作者及び出版社はその著作物における著作権を簡易且つ確実に保護することができると記載されている。
【０００６】
なお、従来の印刷課金処理といえば、１頁印刷成功するごとにカウントを累積していき、印刷成功頁の累積結果に基づいて課金するシステムが採用されていた。
【０００７】
【発明が解決しようとする課題】
一方、システム側からユーザに対しての閲覧用データの送付に対しては、閲覧用電子書籍システムが書籍のコンテンツの代金に対して「コンテンツ代金」としての課金をしている。また、印刷製本の実行に対しては、印刷製本用システムが、「コンテンツ代金」と、印刷製本処理の実行に対する代金として「コンテナ代金」とを分離せずにまとめて課金をしている。さらには、閲覧用電子書籍システムと印刷製本システムとは、独立したシステムであった。
【０００８】
このため、閲覧用データの送付を受けてコンテンツ代金を支払った後に印刷製本を実行した場合の閲覧後印刷製本課金と、閲覧用データの送付を受けずに印刷製本を実行した場合の印刷製本課金とが同一であり、不公平感が存在するという可能性があることについては配慮されていない。
【０００９】
従って、本発明は、正当かつ公平な対価を支払いつつユーザが電子出版による出版物を迅速かつ確実に入手することが可能なブックオンデマンドシステムの提供を目的とする。
【００１０】
また、本発明は、閲覧用電子書籍システムと印刷製本システムとを統合した使い勝手の良いブックオンデマンドシステムを実現することを目的とする。
【００１１】
【課題を解決するための手段】
すなわち、上記課題を解決する本願発明は以下に述べるようなものである。
（１）請求項１記載の発明は、表示部を有する端末装置と、書籍の内容について閲覧のための閲覧用データと印刷製本のための印刷製本用データからなる書籍内容データを保存するディスク装置を有するデータサーバと、閲覧用データのダウンロードに係わるコンテンツ課金処理および印刷製本に係わるコンテナ課金処理を実行する課金管理手段、前記コンテンツ課金処理および前記コンテナ課金処理の履歴を記憶する課金履歴記憶手段および制御手段を有するＷｅｂサーバと、画像形成部を有する印刷製本装置と、を有するブックオンデマンドシステムにおいて、
前記端末装置の前記表示部には、前記閲覧用データのダウンロードによる閲覧か、前記印刷製本用データの送付による印刷製本かを受け付ける入力ボタンを備えた表示画面が表示され、前記制御手段は、前記閲覧用データのダウンロードによる閲覧が選択された場合には、閲覧課金処理を実行するように前記課金管理手段を制御し、前記印刷製本が選択された場合には、前記ダウンロードによる閲覧の履歴の有無を判定し、前記ダウンロードによる閲覧の履歴が無い場合は、初回コンテンツ課金処理を行うと共に該履歴を課金履歴記憶手段に記憶させるように前記課金管理手段を制御し、前記ダウンロードによる閲覧の履歴が有り、且つ、再課金モードが選択されない場合は、再コンテンツ課金処理を行わないように前記課金管理手段を制御すると共に該履歴を前記課金履歴記憶手段に記憶させ、その後に印刷製本に係わるコンテナ課金処理を行うと共に該履歴を課金履歴記憶手段に記憶させるように前記課金管理手段を制御する、ことを特徴とするブックオンデマンドシステムである。
【００１２】
この発明では、注文の受け付け時に、ネットワークを介した閲覧用データの送付か、印刷製本用データによる書籍の印刷製本かを択一的に受け付ける入力ボタンを備えた表示画面をユーザの端末に表示するため、閲覧用のブックオンデマンドシステムと印刷製本用のブックオンデマンドシステムとを統合した使い勝手の良いブックオンデマンドシステムを実現することが可能になる。更に、閲覧課金には書籍のコンテンツについてのコンテンツ代金が含まれ、印刷製本課金には、コンテンツ代金と、印刷製本処理に対するコンテナ代金とが含まれており、閲覧用データの送付のみの閲覧課金と、印刷製本の実行のみの印刷製本課金と、閲覧用データの送付の履歴を有するユーザが印刷製本の実行を行った場合の閲覧後の印刷製本課金と、が別個の課金として取り扱われるため、正当かつ公平な課金を実行することが可能になる。
【００１３】
（２）請求項２記載の発明は、前記ダウンロードによる閲覧の履歴が有り、且つ、再課金モードが選択された場合は、再コンテンツ課金処理を行うと共に該履歴を前記課金履歴記憶手段に記憶させるように前記課金管理手段を制御する、ことを特徴とする請求項１に記載のブックオンデマンドシステムである。
【００１４】
この発明では、ダウンロードによる閲覧の履歴が有り、且つ、再課金モードが選択された場合は、再コンテンツ課金処理を行うと共に該履歴を前記課金履歴記憶手段に記憶させるように前記課金管理手段を制御するため、正当かつ公平な課金を実行することが可能になる。
【００１５】
（３）請求項３記載の発明は、前記閲覧課金処理は、前記制御手段が、前記印刷製本の履歴の有無を判定し、印刷製本の履歴が有る場合は、再コンテンツ課金処理を行うと共に該履歴を課金履歴記憶手段に記憶させるように前記課金管理手段を制御し、印刷製本の履歴が無い場合は、前記ダウンロードによる閲覧の履歴の有無を判定し、前記ダウンロードによる閲覧の履歴が無い場合は、初回コンテンツ課金処理を行うと共に該履歴を課金履歴記憶手段に記憶させるように前記課金管理手段を制御し、前記ダウンロードによる閲覧の履歴が有り、且つ、再課金モードが選択されない場合は、再コンテンツ課金処理を行わないように前記課金管理手段を制御すると共に該履歴を前記課金履歴記憶手段に記憶させ、前記ダウンロードによる閲覧の履歴が有り、且つ、再課金モードが選択された場合は、再コンテンツ課金処理を行うと共に該履歴を課金履歴記憶手段に記憶させるように前記課金管理手段を制御する、ことを特徴とする請求項１又は２に記載のブックオンデマンドシステムである。
【００１６】
（４）請求項４記載の発明は、前記ダウンロードによる閲覧の履歴が有り、且つ、再課金モードが選択された場合は、再コンテンツ課金処理を行うと共に該履歴を課金履歴記憶手段に記憶させるように前記課金管理手段を制御する、
ことを特徴とする請求項３に記載のブックオンデマンドシステム。
【００５１】
【発明の実施の形態】
以下、図面を参照して本発明の実施の形態例を詳細に説明する。
〈システム構成〉
図１は、本実施の形態例のブックオンデマンドシステムのシステム構成を機能的なブロックで示すブロック図である。
【００５２】
本実施の形態例のブックオンデマンドシステムは、各種データを仲介するネットワーク１００、閲覧用データの送付を行う電子書籍システムと書籍の印刷・製本を実行する印刷製本システムとが統合された電子書籍送付印刷システム２００、ユーザの顧客端末３００（図１においては、顧客端末３０１〜３０３を図示）が主要な構成要素として配置されている。なお、電子書籍送付印刷システム２００で印刷製本の実行により作成された書籍をユーザに宅配する宅配会社４００、その他の出版社５００および６００もネットワーク１００に接続されている。
【００５３】
なお、ネットワーク１００は、ＬＡＮ（ローカルエリアネットワーク）やＬＡＮ同士が接続されたインターネットなど、各種を含むものとする。ここで、インターネットは、研究機関、公共機関、企業などに敷設したＬＡＮ同士が、ＷＡＮ（ワイドエリアネットワーク）の技術を用いて相互に常時接続されて構築されたネットワークの集合物であり、自然発生的に全世界を網羅する規模で発展したネットワークである。インターネット上で使用されるプロトコル（ＴＣＰ／ＩＰ）により通信可能なノードは各ノードを互いに識別して通信が可能である。
【００５４】
なお、インターネットではＩＰアドレスを各ノードを識別する識別子として用いており、さらにＵＲＬ（ユニフォーム・リソース・ロケータ）により各ノードが格納するファイルなどを直接指定することも可能である。ここでは、電子書籍送付印刷システム２００の備えるデータサーバ２０２、Ｗｅｂサーバ２０１、プリントサーバ２０３、印刷・製本装置２０４はこのようなノードの一例である。
【００５５】
また、データサーバ２０２は電子書籍送付印刷システム２００により管理、設置されていて、書籍の内容が記録されたディジタルデータ（以下、「書籍内容データ」と呼ぶ）を大容量のディスク装置などに格納してある。そして、このデータサーバ２０２は、顧客端末３００からの要求を受けたＷｅｂサーバ２０１からの要求に応じて書籍内容データを送信するものである。なお、この「書籍内容データ」は、書籍の内容について閲覧のための「閲覧用データ」と、印刷製本のための「印刷製本用データ」とから構成されているものとする。
【００５６】
なお、この実施の形態例において、顧客端末３００の表示部の画像表示密度（たとえば、１００ドット／２５．４mm）に合致した、印刷製本用データよりは粗い密度の画像データ形式の閲覧用画像データとすることで、この閲覧用画像データが印刷製本用データに流用あるいは転用されること（不法コピーなど）を未然に防止することができる。また、Ｗｅｂサーバ２０１は、印刷・製本装置２０４の画像形成部の画像形成密度（たとえば、６００ドット／２５．４mm）に合致した、前記閲覧用画像データよりは細かい画像形成密度であって印刷に適し、前述した閲覧用画像データとはデータ形式が異なったポストスクリプト形式のデータやＰＤＦ形式のデータなどを印刷製本用データとする。
【００５７】
また、図２に詳細構成を示すＷｅｂサーバ２０１は、ユーザからの要望に応じ、ネットワーク１００を介して、閲覧用データを顧客端末３００（閲覧手段）に送付し、印刷製本用データを印刷・製本装置２０４に送付するための機能を有するサーバである。
【００５８】
また、Ｗｅｂサーバ２０１は、当該サーバの各種制御を行う制御手段２０１０、ネットワーク１００を介して通信を行うためのネットワーク通信手段２０１１、顧客データの管理を行うための顧客管理手段２０１２、閲覧用データの送付や印刷製本の実行のための発注を管理する書籍閲覧発注手段２０１３、各種データを管理するデータベース管理手段２０１４、閲覧用データの送付や印刷製本の実行に対する課金の管理を行う課金管理手段２０１５、を備えて構成されている。
【００５９】
なお、以上の場合の閲覧用データの送付に際して、必要に応じて、圧縮，暗号化などを行ってディジタル署名を付してから送信してもよい。
なお、Ｗｅｂサーバ３０１、データサーバ３０２、Ｗｅｂサーバ４０１のそれぞれは異なる出版社により管理や設置がなされている。
【００６０】
Ｗｅｂサーバ３０１はＷｅｂサーバ２０１から課金管理手段を除いた構成で、顧客管理、書籍閲覧発注、データベース管理を自社で行うが、課金管理をＷｅｂサーバ２０１に委ねている。データサーバ３０２にはデータサーバ２０２とは別な書籍内容データ（別な書籍に係るディジタルデータ）を保存している。
【００６１】
また、Ｗｅｂサーバ４０１はＷｅｂサーバ２０１から課金管理手段、データベース管理手段を除いた構成で、顧客管理、書籍閲覧発注を自社で行うが、課金管理、データベース管理をＷｅｂサーバ２０１に委ねている。
【００６２】
Ｗｅｂサーバ２０１は、例えば書籍内容データの配信サービスを管理する管理業者（図１における例では「イーブックプリントカンパニー」）によって管理や設置がなされていて、データサーバ２０２に格納される個々の書籍内容データを必要に応じて閲覧用画像データや印刷データに変換して、顧客端末３００や印刷・製本装置２０４に提供する。
【００６３】
顧客端末３００（３０１，３０２，……）は各ユーザが所有あるいは使用することが可能であって、注文（閲覧用データの送付依頼または／および印刷製本用データの印刷製本手段に送付依頼、閲覧用データによる電子書籍の閲覧表示）が可能な端末装置である。
【００６４】
また、電子書籍送付印刷システム２００では、Ｗｅｂサーバ２０１内の課金管理手段２０１５では、閲覧用データの送付に応じて閲覧課金処理（コンテンツ代金の課金処理）を実行し、印刷製本用データの印刷と製本を行った印刷・製本装置２０４からの製本結果を受けて、課金情報の計算と計算結果に基づく印刷製本用課金処理（コンテンツ代金とコンテナ代金との課金処理）を実行する。
【００６５】
Ｗｅｂサーバ２０１、データサーバ２０２、印刷・製本装置２０４、顧客端末３００は公開鍵方式による暗号化された通信を相互に実行してもよい。すなわち、それぞれは受信したデータに係るディジタル署名を送信元の公開鍵によって復号化して送信元を特定して、他のノードによるなりすましなどを防止するし、また、発信するデータを自己の秘密鍵によって暗号化して、他のノードによる不正な複写などを防止することが可能である。
【００６６】
〈第一の実施の形態例〉
以下、図３のフローチャートと図４のフローチャート、および、図５と図６の表示画面説明図とを用いて、第一の実施の形態例のブックオンデマンドシステムの動作の課金処理を説明する。
【００６７】
なお、この実施の形態例では、閲覧課金には書籍のコンテンツについての「コンテンツ代金」が含まれ、印刷製本課金には、「コンテンツ代金」と、印刷製本処理に対する「コンテナ代金」とが含まれているものとする。
【００６８】
また、「代金」とは、物あるいはサービスの提供について、利用者が支払うことを要求される対価（金額）の情報である。また、「課金」とは、システム上「代金」の情報が送受信されて、最終的に利用者が支払うようにせしめられるものである。
【００６９】
書籍の閲覧（閲覧用データの表示）あるいは印刷製本（印刷製本用データの印刷と製本）を所望するユーザは、コンピュータ機器あるいは携帯端末といった顧客端末３００を操作して、電子書籍送付印刷システム２００内のＷｅｂサーバ２０１へログイン要求を発する。ログインによって、Ｗｅｂサーバ２０１と顧客端末３００との間で論理的な通信チャネルが確保される。
【００７０】
Ｗｅｂサーバ２０１はログイン要求を受信すると、当該ログイン要求の正当性をチェックし、正当であれば顧客端末３００を認証し、顧客端末３００による以下の手順の実行が可能となる。ブックオンデマンドシステムの利用者としてＷｅｂサーバ２０１に登録済みのユーザ又は端末からのログイン要求を正当と判断する。そして、最新索引データに相当する書誌データ（書籍内容データの題名およびその料金、著者、出版社、紹介文、場合によっては書籍内容データの一部など）を顧客端末３００に対して送信する。
【００７１】
なお、Ｗｅｂサーバ２０１は、上述した最新索引データの内容と共に、図５に示す入力ボタンの表示（「電子書籍のダウンロード」あるいは「電子書籍の印刷製本」の選択入力ボタンの表示）を行う。ここで、電子書籍のダウンロードとは、電子書籍送付印刷システム２００から閲覧用データの送付を受けて、顧客端末３００内に取り込むことをいう。
【００７２】
最新索引データを受けた顧客端末３００では、上述した最新索引データの内容によってユーザが気に入った書籍内容データの閲覧あるいは印刷製本を行おうとする対象を決定した場合、図５に示される選択入力ボタンのいずれかをクリックすることで、Ｗｅｂサーバ２０１に対してその要求を行う（図３Ｓ１）。
【００７３】
なお、図５のように同一表示画面、あるいは同一表示画面でなくても同一ページにおいて、注文の受け付け時に、ネットワークを介した閲覧用データの送付か、印刷製本用データによる書籍の印刷製本かを択一的に受け付ける入力ボタンを供えた表示画面をユーザの端末に表示する。これにより、ユーザは表示画面を見ることで容易に内容を理解できるようになり、閲覧用の電子書籍システムと印刷製本用の電子書籍システムとを統合した使い勝手の良い電子書籍システムを実現することが可能になる。
【００７４】
ユーザが電子書籍の印刷製本を望んだことにより印刷製本ボタンがクリックされた場合（図３Ｓ１でＹＥＳ）、Ｗｅｂサーバ２０１内の制御手段２０１０の指示により、顧客管理手段２０１２が顧客データの入力や入力された顧客データの検索・記憶などを実行する（図３Ｓ２）。
【００７５】
そして、引き続き、Ｗｅｂサーバ２０１内の制御手段２０１０の指示により、課金管理手段２０１５内の課金履歴記憶手段が顧客のダウンロード履歴（同一コンテンツに対して、既に閲覧のためにダウンロードしたことがあるかの履歴）を検索する（図３Ｓ３）。
【００７６】
ダウンロード履歴が存在していなければ（図３Ｓ３でＮＯ）、今回印刷製本しようとしているコンテンツについては初回の購入であるため、課金管理手段２０１５が、通常の初回コンテンツ課金処理を実行する（図３Ｓ４）。この初回コンテンツ課金処理では、そのコンテンツに対して定められた額の課金処理がなされる。また、この初回コンテンツ課金処理を実行したことを、制御手段２０１０が課金管理手段２０１５内の課金履歴記憶手段に格納する（図３Ｓ５）。
【００７７】
ダウンロード履歴が存在した場合（図３Ｓ３でＹＥＳ）であれば、今回ダウンロードしようとしているコンテンツについては閲覧後の印刷製本となるため、制御手段２０１０は再課金モード（再度ダウンロードについて、再度コンテンツ課金（初回コンテンツ課金より低額の課金）をするモード）か、課金を全くしないモードが選択されているかを調べる（図３Ｓ６）。
【００７８】
再課金モードが選択されている場合（図３Ｓ６でＹＥＳ）、課金管理手段２０１５は、この印刷製本について、再度コンテンツ課金として初回コンテンツ課金より低額の課金処理をする（図３Ｓ７）。また、この再度コンテンツ課金処理を実行したことを、制御手段２０１０が課金管理手段２０１５内の課金履歴記憶手段に格納する（図３Ｓ８）。
【００７９】
再課金モードが選択されていない場合（図３Ｓ６でＮＯ）、既に初回コンテンツ課金処理でコンテンツに対して定められた課金がなされているため、課金管理手段２０１５は、今回の印刷製本についてコンテンツ課金を全くしない。
【００８０】
そして、引き続き、課金管理手段２０１５はコンテナ代金にかかるコンテナ課金処理を実行する（図３Ｓ９）。また、このコンテナ課金処理を実行したことを、制御手段２０１０が課金管理手段２０１５内の課金履歴記憶手段に格納する（図３Ｓ１０）。
【００８１】
以上のように、本実施の形態例では、印刷製本の実行のみの印刷製本課金（初回コンテンツ課金処理＋コンテナ課金処理）と、閲覧用データの送付の履歴を有するユーザが印刷製本の実行を行った場合の閲覧後印刷製本課金（再度コンテンツ課金（もしくはコンテンツ課金無し）＋コンテナ課金処理）とが別個の課金として取り扱われているため、正当かつ公平な課金を実行することが可能になる。
【００８２】
すなわち、この実施の形態例では、閲覧用データの送付に対する閲覧課金（コンテンツ課金）に関する閲覧課金データ（コンテンツ課金データ）と、印刷製本の実行に対する印刷製本課金（コンテナ課金）に関する印刷製本課金データ（コンテナ課金データ）とが、同一の電子書籍システム内で別個の存在として取り扱われており、閲覧用データを使用した履歴を有するユーザが、同一コンテンツに関する印刷製本用データを使用する場合に、課金される金額が減額されるため、正当かつ公平な課金を実行することが可能になる。
【００８３】
なお、このような減額を行う場合に、図６に示すように、ダウンロードボタン／印刷製本ボタンの近傍位置に、ダウンロード課金額／印刷製本課金額／履歴を有するユーザの減額された課金額を表示することが望ましい。このように、注文の受け付け時に、ネットワークを介した閲覧用データの送付か、印刷製本用データによる書籍の印刷製本かを択一的に受け付ける入力ボタンを供えた表示画面をユーザの端末に表示し、同一ユーザの同一コンテンツについての閲覧用データの送付もしくは印刷製本の実行に関する履歴を表示すると共に、ユーザ履歴を反映した課金額を表示するため、閲覧用の電子書籍システムと印刷製本用の電子書籍システムとを統合した使い勝手の良い電子書籍システムを実現することが可能になる。
【００８４】
〈第二の実施の形態例〉
ユーザが一定時間内に印刷製本ボタンをクリックしない場合（図３Ｓ１でＮＯ）、ダウンロード課金処理のルーチン（図４）に移行する。
【００８５】
ユーザが電子書籍のダウンロード（閲覧用データの送付要求）を望んだことによりダウンロードボタン（図５参照）がクリックされた場合（図４Ｓ１でＹＥＳ）、Ｗｅｂサーバ２０１内の制御手段２０１０の指示により、顧客管理手段２０１２が顧客データの入力や入力された顧客データの検索・記憶などを実行する（図４Ｓ２）。
【００８６】
そして、引き続き、Ｗｅｂサーバ２０１内の制御手段２０１０の指示により、課金管理手段２０１５内の課金履歴記憶手段が顧客の印刷製本履歴（同一コンテンツに対して、既に印刷製本を実行したことがあるかの履歴）を検索する（図４Ｓ３）。
【００８７】
印刷製本履歴が存在した場合（図４Ｓ３でＹＥＳ）であれば、今回ダウンロードしようとしているコンテンツについては印刷製本後のダウンロードとなるため、制御手段２０１０は再課金モード（印刷製本履歴を有するダウンロードについて、再度コンテンツ課金（初回コンテンツ課金より低額の課金）をするか、課金を全くしないか、についてのモード）が設定されているかを調べる（図４Ｓ４）。
再課金モードが設定されている場合（図４Ｓ４でＹＥＳ）、課金管理手段２０１５は、この印刷製本について、再度コンテンツ課金として初回コンテンツ課金より低額の課金処理をする（図４Ｓ７）。また、この再度コンテンツ課金処理を実行したことを、制御手段２０１０が課金管理手段２０１５内の課金履歴記憶手段に格納する（図４Ｓ８）。
【００８８】
再課金モードが設定されていない場合（図４Ｓ４でＮＯ）、既に初回コンテンツ課金処理でコンテンツに対して定められた課金がなされているため、課金管理手段２０１５は、今回の印刷製本についてコンテンツ課金を全くしない。
【００８９】
印刷製本履歴が存在していなければ（図４Ｓ３でＮＯ）、Ｗｅｂサーバ２０１内の制御手段２０１０の指示により、課金管理手段２０１５内の課金履歴記憶手段が顧客のダウンロード履歴（同一コンテンツに対して、既に閲覧のためにダウンロードしたことがあるかの履歴）を検索する（図４Ｓ５）。
【００９０】
印刷履歴もダウンロード履歴も存在していなければ（図４Ｓ３でＮＯ、Ｓ５でＮＯ）、今回ダウンロードしようとしているコンテンツについては全くの初回の購入であるため、課金管理手段２０１５が、通常の初回コンテンツ課金処理を実行する（図４Ｓ９）。この初回コンテンツ課金処理では、そのコンテンツに対して定められた額の課金処理がなされる。また、この初回コンテンツ課金処理を実行したことを、制御手段２０１０が課金管理手段２０１５内の課金履歴記憶手段に格納する（図４Ｓ１０）。
【００９１】
印刷製本履歴が存在していない（図４Ｓ３でＮＯ）が、ダウンロード履歴が存在した場合（図４Ｓ５でＹＥＳ）であれば、今回ダウンロードしようとしているコンテンツについてはダウンロード後のダウンロード（再ダウンロード）となるため、制御手段２０１０は再課金モード（ダウンロード履歴を有するダウンロードについて、再度コンテンツ課金（初回コンテンツ課金より低額の課金）をするモード）か、課金を全くしないモードが選択されているかを調べる（図４Ｓ６）。
【００９２】
再課金モードが選択されている場合（図４Ｓ６でＹＥＳ）、課金管理手段２０１５は、この印刷製本について、再度コンテンツ課金として初回コンテンツ課金より低額の課金処理をする（図４Ｓ１１）。また、この再度コンテンツ課金処理を実行したことを、制御手段２０１０が課金管理手段２０１５内の課金履歴記憶手段に格納する（図４Ｓ１２）。
【００９３】
再課金モードが選択されていない場合（図４Ｓ６でＮＯ）、既に初回コンテンツ課金処理でコンテンツに対して定められた課金がなされているため、課金管理手段２０１５は、今回の印刷製本についてコンテンツ課金を全くしない。
【００９４】
以上のように、本実施の形態例では、閲覧用データの送付要求のみのコンテンツ課金（初回コンテンツ課金処理）と、閲覧用データの送付の履歴を有するユーザが閲覧用データの送付要求を行った場合の閲覧後閲覧課金（再度コンテンツ課金（もしくはコンテンツ課金無し））、あるいは、印刷製本履歴を有するユーザが閲覧用データの送付要求を行った場合の印刷製本後閲覧課金（再度コンテンツ課金（もしくはコンテンツ課金無し））と、が別個の課金として取り扱われているため、正当かつ公平な課金を実行することが可能になる。
【００９５】
すなわち、この実施の形態例では、閲覧用データの送付に対する閲覧課金（コンテンツ課金）に関する閲覧課金データ（コンテンツ課金データ）と、印刷製本の実行に対する印刷製本課金（コンテナ課金）に関する印刷製本課金データ（コンテナ課金データ）とが、同一の電子書籍システム内で別個の存在として取り扱われ、閲覧用データを使用した履歴を有するユーザが、同一コンテンツに関する閲覧用データを使用する場合に、あるいは、印刷製本用データを使用した履歴を有するユーザが、同一コンテンツに関する閲覧用データを使用する場合に、課金される金額が減額されるため、正当かつ公平な課金を実行することが可能になる。
【００９６】
なお、このような減額を行う場合に、図６に示すように、ダウンロードボタン／印刷製本ボタンの近傍位置に、ダウンロード課金額／印刷製本課金額／履歴の有無／履歴を有するユーザの減額された課金額、を表示することが望ましい。ここに示した例では、履歴を有するため、５００円分の減額がなされた金額（最終的な課金額）が表示されている。なお、「５００円分の値引きです」と値引き額を明示するようにしてもよい。
【００９７】
このように、注文の受け付け時に、ネットワークを介した閲覧用データの送付か、印刷製本用データによる書籍の印刷製本かを択一的に受け付ける入力ボタンを供えた表示画面をユーザの端末に表示し、同一ユーザの同一コンテンツについての閲覧用データの送付もしくは印刷製本の実行に関する履歴を表示すると共に、ユーザ履歴を反映した課金額を表示するため、閲覧用の電子書籍システムと印刷製本用の電子書籍システムとを統合した使い勝手の良い電子書籍システムを実現することが可能になる。
【００９８】
なお、以上の実施の形態例において、印刷製本について再度繰り返す場合には、物品としての書籍を繰り返し販売することになるため、課金に関して減額を行わないことが望ましい。
【００９９】
【発明の効果】
以上説明したように、本発明では、注文の受け付け時に、ネットワークを介した閲覧用データの送付か、印刷製本用データによる書籍の印刷製本かを択一的に受け付ける入力ボタンを備えた表示画面をユーザの端末に表示するため、閲覧用のブックオンデマンドシステムと印刷製本用のブックオンデマンドシステムとを統合した使い勝手の良いブックオンデマンドシステムを実現することが可能になる。更に、閲覧課金には書籍のコンテンツについてのコンテンツ代金が含まれ、印刷製本課金には、コンテンツ代金と、印刷製本処理に対するコンテナ代金とが含まれており、閲覧用データの送付のみの閲覧課金と、印刷製本の実行のみの印刷製本課金と、閲覧用データの送付の履歴を有するユーザが印刷製本の実行を行った場合の閲覧後の印刷製本課金と、が別個の課金として取り扱われるため、正当かつ公平な課金を実行することが可能になる。
【図面の簡単な説明】
【図１】本発明の実施の形態例のブックオンデマンドシステムのシステム構成の一例を示すブロック図である。
【図２】本発明の実施の形態例のＷｅｂサーバの詳細な構成を説明するブロック図である。
【図３】本発明の第一の実施の形態例のブックオンデマンドシステムの動作を説明するフローチャートである。
【図４】本発明の第一の実施の形態例のブックオンデマンドシステムの動作を説明するフローチャートである。
【図５】本発明の実施の形態例のブックオンデマンドシステムにおいて注文時に顧客端末に表示する表示画面の一例を示す説明図である。
【図６】本発明の実施の形態例のブックオンデマンドシステムにおいて注文時に顧客端末に表示する表示画面の一例を示す説明図である。
【符号の説明】
１００  ネットワーク
２００  電子書籍送付印刷システム
３００  顧客端末
４００  宅配会社
５００  出版社
６００  出版社
【図１】
0004010118.tif 000002
【図２】
0004010118.tif 000003
【図３】
0004010118.tif 000004
【図４】
0004010118.tif 000005
【図５】
0004010118.tif 000006
【図６】
0004010118.tif 000007